(57)【要約】      （修正有）【課題】挿し木における発根を従来より簡便に、高い効率で行うことができるカラマツ属植物苗の育苗方法を提供する。【解決手段】下部に穴５を有する筒状の容器２に培地４を充填し、カラマツ属植物の挿し穂７を培地に挿し付けること、複数の孔を備える平面部を上部に具備し、内部に水を有する箱状の容器１の前記複数の孔に、前記穴が水に接する位置になるように前記筒状の容器を挿入し、ポットの穴を通して培地に吸い上げられた箱状の容器内の水３により、挿し穂の下面から挿し穂に水分を与えること、及び環境制御が可能な室内にて前記挿し穂を管理し、発根させること、ただし箱状の容器内の水の量は、発根が確認されるまで外部からの潅水を行わなくても挿し穂に水分が与え続けられる量であり、容器は実質的に密閉されていることを特徴とする。【選択図】図１
2020191852.tif 000002
【特許請求の範囲】
【請求項１】
下記の工程を含むカラマツ属植物の苗を育苗する方法：
下部に穴を有する筒状の容器に培地を充填し、カラマツ属植物の挿し穂を培地に挿し付けること、
複数の孔を備える平面部を上部に具備し、内部に水を有する箱状の容器の前記複数の孔に、前記穴が水に接する位置になるように前記筒状の容器を挿入し、ポットの穴を通して培地に吸い上げられた箱状の容器内の水により、挿し穂の下面から挿し穂に水分を与えること、及び
環境制御が可能な室内にて前記挿し穂を管理し、発根させること、
ただし箱状の容器内の水の量は、発根が確認されるまで外部からの潅水を行わなくても挿し穂に水分が与え続けられる量であり、箱状の容器は実質的に密閉されている。
【請求項２】
発根が確認されるまで外部からの潅水を行わない請求項１に記載の方法。
【請求項３】
容器に入れる水の量が、筒状の容器１個当たり３０ｍｌ以上の量である請求項１又は２に記載の方法。
【請求項４】
温度、湿度及び光の強度が制御される請求項１〜３のいずれかに記載の方法。
【請求項５】
挿し穂の頂部における光の強度が１００〜２００μmol m-2 s-1である請求項４に記載の方法。
【請求項６】
カラマツ属植物がグイマツ雑種Ｆ１である請求項１〜５のいずれかに記載の方法。
【請求項７】
以下を備える挿し木育苗装置：
（ａ）複数の孔を備える平面部を上部に具備し、内部に水を保持するように密閉されることができる箱状の容器（容器Ａ）；及び
（ｂ）培地が充填され、下部に穴を有し、底面を具備する筒状の容器（容器Ｂ）、
容器Ｂは、その上面が容器Ａの上面とほぼ同じ高さになるように前記孔を通して設置されることができ、
前記設置後の容器Ｂの前記穴を含む下部が水に浸漬されて培地に水が浸入するように、容器Ａには水を保持できる。
【請求項８】
培地の表面が被覆されない場合、挿し木された植物からの蒸散及び培地表面からの気化以外には内部に入れた水の損失がないように容器Ａを密閉することができる、請求項７に記載の装置。
【発明の詳細な説明】
【技術分野】
【０００１】
本発明は、カラマツ属植物苗の育苗方法に関し、とくに挿し木における発根を従来より簡便に、高い効率で行えることに特長を有する育苗方法に関する。
【背景技術】
【０００２】
植林用山林樹木の苗の育苗は１年〜２年といった長い時間をかけて行われている。育苗中の管理は、露地で行われる粗放的な管理が一般的である。
挿し木育苗は、九州のスギの他、カラマツ属では、北海道で開発されたグイマツ×カラマツの交雑種「グイマツ雑種Ｆ１」（クリーンラーチ等）が簡易なビニールハウスで挿し木が行われているほかは、実生による苗木生産が一般的である。
グイマツ雑種Ｆ１は、耐鼠性と高い成長性を併せ持つ優良品種であり、北海道のカラマツブランドとして注目されている。現在、主要品種であるクリーンラーチ（以下、「CL」と記載することがある）は、挿し木により増殖が進められている。
CL挿し木の大量増殖を目的とした、高度な環境制御が可能な閉鎖型育苗施設を利用し、得苗率の高い挿し木増殖技術の開発が進められている。例えば人工光によるカラマツ挿し木増殖技術についての報告がある（特許文献１、特許文献２）。
【０００３】
ところで植物は葉から絶えず蒸散を行っているため、親木から切り離された挿し穂は、水挿し、土挿し等で水分が補給されないと水分損失により枯死しやすい。とくに緑枝挿しでは、蒸散による水分損失と吸水のバランスを保つため、培地を適度な水分状態に保つことは必要であるところ、過剰な潅水は通気性を悪くし、発根を妨げる要因となる。また、温室内の屋外施設では、遮光やミスト潅水等の環境制御設備や精度の高い環境制御技術が必要になる（非特許文献１〜４）。
【０００４】
クリーンラーチの挿し木増殖は、挿し穂が取れ始める５月〜８月に緑枝挿しで行われるため、発根までの管理は温度、湿度、光等の環境制御を精度よく行う必要がある。とくに日射量が多い時期であるため、挿し穂が乾かないよう、苗木生産者は細心の注意を払う必要があり、作業上の大きな負担となっている。また発根段階では一度の管理ミスが致命傷となり、道内全体の得苗率を下げている主な原因の一つとなっている（非特許文献５）。
作業上の負担軽減及び／又は得苗率が低下しないようにするための対策として、底面給水により、精度の高い環境制御を必要とせず、挿し木が行われる手法が報告されている。
【先行技術文献】
【特許文献】
【０００５】
【特許文献１】特開２０１８−１５３１２８号公報
【特許文献２】特願２０１８−０６５０００明細書
【特許文献３】特開２０１７−９３４５２号公報
【特許文献４】特開２００７−３１９０４７号公報
【特許文献５】特開平８−１７２８９７号公報
【特許文献６】特許５４０５７２２号公報
【特許文献７】特開２０１８−３８３０７号公報
【特許文献８】特開２０１９−０２４３９６号公報
【非特許文献】
【０００６】
【非特許文献１】福井博一著、「挿し木の基本」https://www1.gifu-u.ac.jp/~fukui/06-4-03.html
【非特許文献２】田中貞雄著、「スギ・ヒノキ  さし木のしかたと管理」、全国林業改良普及協会、１９７９年：第3章さし木の発根・活着条件
【非特許文献３】町田英夫著、「農業技術体系」果樹編  第８巻  共通技術13〜18、「挿し木、取り木」
【非特許文献４】堀込充著、「農業技術体系」果樹編  第7巻  栽培の基礎34の4〜34の7、「挿し木による増殖方法」
【非特許文献５】来田ら、第127回日本森林学会大会講演要旨、「グイマツ雑種F1優良家系「クリーンラーチ」の挿し木コンテナ苗育苗技術の開発」（２０１６）
【発明の概要】
【発明が解決しようとする課題】
【０００７】
上記のとおり作業上の負担軽減のための対策及び／又は得苗率が低下しないようにするための対策として、底面給水により、精度の高い環境制御を必要としない挿し木が行われる手法が知られている。しかしながら底面給水の場合、培地の毛管力により、水の流れは培地の底面から培地表面へ移動するため、植物の蒸散以外に培地表面からの蒸発による水分損失がある。そのため、カラマツ属植物のような長期の育苗期間を要する樹木の挿し木育苗においては、定期的に水分を供給するなどの制御機構が必要となることが問題になる。これらの問題に対して、関連する技術においては以下のとおり解決はなされていない。
2020191852.tif 000003
【０００８】
他方において、環境制御が可能な閉鎖型育苗施設の利用は挿し木増殖の効率化に有効である。当該施設において、生産効率を最大限に高めるためには、発根のリアルタイムの計測技術が必要である。
関連する技術として、蒸散量を目安に発根段階を非破壊で確認する方式がある（特許文献７）。しかし、蒸散量の変化を経時的に、さらに精度良くモニタリングするためには、発根に最適な条件を確保し確実に発根させる必要があるところ、特許文献７には育苗方法について具体的な開示はなされていない。また底面給水の場合、従来の方法においては、給液を制御するために、給液・排水・貯水・配管等の水回りのほか、電磁弁・ポンプ・制御器等の設備等が必要で高額の投資が必要になるばかりでなく、電気系統の不具合、配管内の詰まり等により、必要な給液がなされず、苗が枯死する可能性がある。
挿し穂が挿し付けられた培地の下方から潅水を行う植物の挿し木苗の生産方法についての報告もある（特許文献８）。しかしながら該方法においては発根まで、手潅水又は自動潅水装置による潅水が不可欠である。
【０００９】
上記の背景に鑑み、本発明者らは、カラマツ属植物苗の挿し木による育苗において、底面給水における給水の制御機構を不要としながらも高い発根率を達成するための技術を提供することを課題とした。
【課題を解決するための手段】
【００１０】
本発明者らは、上記の課題の解決のために鋭意研究を重ねた結果、育苗のための設備に改変を加えるとともに初期の給水量を特定することにより底面給水における給水の負担を低減できる可能性があることを見出し、さらに研究を進めた結果本発明を完成するに至った。
【００１１】
すなわち本発明は、少なくとも以下の発明に関する：
［１］下記の工程を含むカラマツ属植物の苗を育苗する方法：
下部に穴を有する筒状の容器に培地を充填し、カラマツ属植物の挿し穂を培地に挿し付けること、
複数の孔を備える平面部を上部に具備し、内部に水を有する箱状の容器の前記複数の孔に、前記穴が水に接する位置になるように前記筒状の容器を挿入し、ポットの穴を通して培地に吸い上げられた箱状の容器内の水により、挿し穂の下面から挿し穂に水分を与えること、及び
環境制御が可能な室内にて前記挿し穂を管理し、発根させること、
ただし箱状の容器内の水の量は、発根が確認されるまで外部からの潅水を行わなくても挿し穂に水分が与え続けられる量であり、箱状の容器は実質的に密閉されている。
［２］発根が確認されるまで外部からの潅水を行わない［１］の方法。
［３］容器に入れる水の量が、筒状の容器１個当たり３０ｍｌ以上の量である［１］又は［２］の方法。
［４］温度、湿度及び光の強度が制御される［１］〜［３］のいずれかの方法。
［５］挿し穂の頂部における光の強度が１００〜２００μmol m-2 s-1である［４］の方法。
［６］カラマツ属植物がグイマツ雑種Ｆ１である［１］〜［５］のいずれかの方法。
[７] 以下を備える挿し木育苗装置：
（ａ）複数の孔を備える平面部を上部に具備し、内部に水を保持するように密閉されることができる箱状の容器（容器Ａ）；及び
（ｂ）培地が充填され、下部に穴を有し、底面を具備する筒状の容器（容器Ｂ）、
容器Ｂは、その上面が容器Ａの上面とほぼ同じ高さになるように前記孔を通して設置されることができ、
前記設置後の容器Ｂの前記穴を含む下部が水に浸漬されて培地に水が浸入するように、容器Ａには水を保持できる。
［８］培地の表面が被覆されない場合、挿し木された植物からの蒸散及び培地表面からの気化以外には内部に入れた水の損失がないように容器Ａを密閉することができる、［７］の装置
【発明の効果】
【００１２】
本発明は、カラマツ属の挿し木において、難しい水分管理を必要とせず、培地内水分を適度な水分域に管理することを可能にし、さらに苗における高い発根率を達成することを可能にするといった効果を奏する。
より具体的には、本発明によれば、従来、挿し木生産で必要であったミスト潅水等の設備が不要になり、潅水にかかる作業は省略され、発根率はほぼ１００％を確保することが可能になる。
また本発明によれば節水条件での挿し木生産が可能になる。かかる点において本発明の方法は、大量の水が必要で、水分損失も大きかった従来の挿し木生産の方法と著しい対照をなす。
【００１３】
上記のような従来技術における手法とは異なり、本発明においては培地内水分を適度な水分域に管理することを可能にして苗における高い発根率を達成することにより、従来の方法を上回る採穂数及び苗の増殖率が達成される。すなわち本発明の構成は従来技術からは想到し得ないものであるし、本発明により奏される効果は従来技術からは予測することができない顕著な効果である。
なお本発明は蒸散による減水量を把握するとともに毛管力による給水量とのバランスをとり、発根を早める環境因子を把握することを可能にする技術に基礎を置くものである。本発明によれば、環境制御が可能な閉鎖型育苗施設を利用したカラマツ属の挿し木苗の大量生産も可能になる。
【図面の簡単な説明】
【００１４】
【図１】本発明の方法を実施するためのシステムの例を示す模式図である。
【図２−１】本発明の方法を行うための容器（容器Ａ）の例を示す斜視写真図である。
【図２−２】容器Ａの平面部（蓋）を拡大して示す斜視写真図である。
【図３−１】挿し穂が挿し付けられる容器（容器Ｂ）の例を示す模式図である。容器側面及び底面の下端部に存在する、円形部分は穴（細孔）である。
【図３−２】挿し穂が挿し付けられる容器（容器Ｂ）の他の例を示す模式図である。左側の図は細孔を有する例であり、右側の図はスリットを有する例である。いずれの例においても底面の下端部にも穴が設けられている。
【図３−３】挿し穂が挿し付けられる容器（容器Ｂ）のさらに他の例を示す模式図である。左側の図は細孔を３個以上有する鉛直方向の列を複数有する例であり、右側の図は細孔を３個以上有する水平方向の列を複数有する例である。いずれにおいても底面の下端部にも穴が設けられている。
【図４】培地を充填し挿し木が行われた筒状の容器の例を示す写真図である。
【図５】実施例１に示す試験の様子を示す写真図である。
【図６】実施例１において用いられた容器Ｂを模式的に示す側面図である。５個の穴がほぼ等間隔で配置された列が、平面方向にほぼ等角度で４つ設けられている。容器の下端部にも穴が１個設けられている。
【図７】実施例１に示す試験の結果を示すグラフである。グラフが途切れている部分は未調査であったことを示す。
【図８】実施例１に示す試験における発根後の挿し穂の様子を示す写真図である。
【図９】実施例３に示す試験の結果を示すグラフである。グラフが途切れている部分は未調査であったことを示す。
【図１０】参考例において、試験用バイヤル１個当たりの減水量を２３時間測定した結果を示すグラフである。
【発明を実施するための形態】
【００１５】
本発明の方法を行うための容器及び装置は、本発明における所望の効果を奏するものであれば限定されない。本発明の方法を実施するための装置として、培地を充填した、下部に穴を有し、底面を具備する筒状の容器（ポット、プラグ又はバイヤル、以下において「容器Ｂ」ということがある）が、複数の孔を備える平面部を上部に具備し、内部に水を保持するように、すなわち培地の表面が被覆されない場合、挿し木された植物からの蒸散及び培地表面からの気化以外には内部に入れた水の損失がほぼないように、密閉されることができる箱状の容器（以下において「容器Ａ」ということがある）に、その上面が容器Ａの上面とほぼ同じ高さになるように設置され、容器Ｂの前記穴を含む下部が水に浸漬されて培地に水が浸入するように容器Ａに水が投入され、さらに容器Ａが実質的に密閉され容器Ａの内部から外部への水分の損失が抑制された閉鎖空間とされる挿し木育苗のためのシステムが例示される（図１）。  したがって本発明は一側面において、以下を備える挿し木育苗装置にも関する：
（ａ）複数の孔を備える平面部を上部に具備し、内部に水を保持するように密閉されることができる箱状の容器（容器Ａ）；及び
（ｂ）培地が充填され、下部に穴を有し、底面を具備する筒状の容器（容器Ｂ）、
容器Ｂは、その上面が容器Ａの上面とほぼ同じ高さになるように前記孔を通して設置されることができ、
前記設置後の容器Ｂの前記穴を含む下部が水に浸漬されて培地に水が浸入するように、容器Ａには水を保持できる。
該装置は容器Ａに容器Ｂが設置された形態で用いられるところ、用いられる前には１つ又は２つ以上の容器Ａに４つ又は５つ以上の容器Ｂを具備したキットであってよい。
平面部は完全にフラットである必要はなく、複数の容器Ｂをほぼ同じ高さに設置できる面があればよい。
【００１６】
本発明の方法及び同発明において用いられる容器・部材について、以下においてさらに説明する。
●容器Ａ
容器Ａは複数の孔を備える平面部を上部に具備し、内部に水を保持して実質的に密閉されることができる容器である（図２−１）。水には発根を誘発する発根剤、又はホルモン剤の他、酸素発生剤等の培養成分を含んでよいし、水の代わりに窒素、リン酸、及びカリを含む化学合成培養液やアミノ酸等を含む有機合成培養液を用いてもよい。また、水の腐敗を抑制する浄化資材を水に含ませることは好ましい。かかる浄化資材は限定されないところ、炭、又はゼオライト等であってよい。
容器Ａとして、発泡スチロール製、及びプラスティック製の容器が例示される。遮光性が高く藻類や微生物が水中に発生するのを防げ、断熱性が高いため、発泡スチロール製のものは好ましい。
容器Ａの前記孔は容器Ｂを挿入して保持するためのものである。該孔の形状及び大きさは限定されないところ、容器Ｂの水平方向の断面の大きさ及び形状に対応して、挿入後の容器Ｂを保持できる形状及び大きさであればよい。すなわち前記孔の大きさ及び形状を、容器Ｂの上面付近における水平方向の断面の大きさ及び形状に相当する形状及び大きさにしてよい。
例えば容器Ａにおける前記複数の孔の形状は例えばほぼ円形であり（図２−２）、その大きさは容器Ｂの外径とほぼ同じ大きさ、例えば２０ｍｍ〜４０ｍｍであってよく、２０ｍｍ〜３０ｍｍはより好ましい。
【００１７】
容器Ｂを挿入した際に、容器Ａの前記孔と容器Ｂの側面を形成する外壁との間に隙間がある場合には、封止用資材により隙間を封じることは好ましい。封止用資材の素材は限定されずウレタン、ゴム、布、紙類（段ボール素材等）、及び接着剤等が例示される。
【００１８】
●容器Ｂ
容器Ｂは水、空気が通過できる構造、素材であることが好ましく、さらに生分解性であることは好ましい。
容器Ｂは下部に穴を有し、底面に穴を有してもよい。
容器Ｂの底面は平面状でなく下方に突出する形状であってよい。容器Ｂの底面が下方に突出する形状である場合、該底面の突出部の下端部（先端部）に穴が設けられているものは好ましい。（図３−１〜図３−３）。
容器Ｂの素材がプラスティック製等の水及び空気が通過しない素材である場合には、容器Ｂの側面に、上面から下面に向かう方向に複数の穴（細孔）が開けられるか、又はスリット状の穴を開けられていることは好ましい。（図３−２）。
容器Ｂにおける穴の形状は限定されず、円形、楕円形、及び多角形等が例示される。
容器Ｂにおける穴がスリット状である場合、その幅は全長において一定でなくてよい。
容器Ｂにおける穴の大きさを、最大幅が充填される培地に含まれる粒子の平均的な径より小さくすることは好ましい。例えば前記穴がほぼ円形である場合、その径は１ｍｍ〜３ｍｍ程度であってよい。前記穴がスリット状である場合、その最大幅は１ｍｍ〜３ｍｍ程度であってよい。  
【００１９】
容器Ｂが側面に複数の穴（細孔）を有する場合、１列あたり２個又は３個以上の穴を有する鉛直方向又は水平方向に延伸する穴の列を、１列又は２列以上有することは好ましい。１列あたり３個以上の穴を有する場合、各穴がほぼ一定間隔で具備されていることは好ましい（図３−３）。容器Ｂは、これらの穴に代えて、又はこれらの穴と併用して、培地が漏れないメッシュ状の部位を有してよい。
【００２０】
容器Ｂの前記穴の少なくとも一部が水面下になり容器Ｂ内の培地に水が浸入するように、容器Ｂを容器Ａの孔に挿入し保持された状態で、容器Ａ中に湛水された水に浸漬されるように容器Ｂを容器Ａに設置する（図１）。保持されている容器Ｂは、底面が容器Ａの内底面に接さずに、容器Ａの前記平面部に懸垂され保持されてよい。
容器Ｂの前記穴の少なくとも一部（１個）が水面より上に位置するように容器Ｂを容器Ａ中に湛水された水に浸漬することは、培地及び挿し穂の培地中の部位に酸素を与える観点から好ましい。
【００２１】
容器Ｂの大きさは限定されず、内径２０ｍｍ〜５０ｍｍ、及び高さ５０ｍｍ〜１５０ｍｍ程度の大きさが例示される。容器Ｂとして、スリットを有するFlexi Frame77（BCC社製）等のプラスティック製の育苗容器が例示されるが、容器Ｂはこれらに限定されない。
【００２２】
容器Ｂには培地ａが充填され、該充填された培地ａに挿し穂が挿し付けられる（図４）。挿し穂の大きさは限定されないところ、穂長が３ｃｍ〜１０ｃｍが例示される。
培地ａの表面が隠れるように培地ｂにより培地ａの表面を被覆し、培地ａ表面からの水分の損失を抑制することは好ましい。
培地ａとしては、粒径が３ｍｍ以下、好ましくは２ｍｍ以下である親水性の素材が例示され、例えば鹿沼土、赤玉土、ピートモス、ココピートである。市販の挿し木専用培地を用いてもよい。
培地ｂとしては、目開き３ｍｍ〜５ｍｍの篩を通過する疎水性又は撥水性の資材が例示され、例えばピートモス、木質の粉、及び繊維等である。
【００２３】
本発明の方法のうち、
［２］発根が確認されるまで外部からの潅水を行わない方法は潅水の手間が省けるため好ましい。
本発明の方法のうち、容器に入れる水の量を予め特定する方法は好ましい。
容器に入れる水の量を予め特定するための方法は限定されないところ、例えば挿し木処理区と挿し木を行っていないブランクの区のそれぞれにおける減水量を求め挿し木処理区における減水量からブランクの区の減水量を差し引いて蒸散量を算出し、該蒸散量を基にして前記水の量を計算して特定してよい。
【００２４】
［３］発根が確認されるまで培地に水分を与えるために容器Ａに入れる水の量が、筒状の容器（容器Ｂ）１個当たり３０ｍｌ以上の量である本発明の方法は、本発明における所望の効果が一層確実に奏されるため好ましい。容器Ａに入れる水の量（容器Ｂにおいて最も低位にある穴より上方に存在する水の量）を容器Ｂ１個当たり３０ｍｌ以上の量とすることにより、発根が確認されるまで外部からの潅水を行う作業をより確実に省略することができる。発根が確認されるまでの日数は典型的には約１．５ヶ月である。
発根が確認されるまで培地に水分を与えるために容器Ａに入れる水の量が、筒状の容器（容器Ｂ）１個当たり３０ｍｌ〜５０ｍｌの量である本発明の方法は、本発明における所望の効果が一層確実に奏され、また水の無駄を抑制できるためより好ましい。
発根が確認されるまで培地に水分を与えるための水が、発根までの全期間にわたり培地に浸入して培地に水分が与えられるように、容器Ａ内の水位を考慮して容器Ａに入れる水の量を予め調整することは好ましい。すなわち容器Ｂにおいて少なくとも最も下位に存在する穴は、本発明の方法による育苗を開始してから発根するまで容器Ａ内の水の水面より低位に位置するようにする。そのためには、前記容器Ａに入れる水の量を、容器Ａの内底面から容器Ｂにおいて最下部に設けられた穴までの容器Ａの深さ分に相当する水の量を考慮して調整する。すなわち、容器Ａに入れる水の量発根が確認されるまで培地に水分を与えるために容器Ａに入れる水の量と、容器Ａの内底面から容器Ｂにおいて最下部に設けられた穴までの容器Ａの深さ分に相当する水の量とを合わせた量の水を容器Ａに入れることは好ましい。
また、容器Ａに投入される水の量は、容器Ｂの形状、設置される容器Ｂの密度、及び乾燥リスク回避等を考慮して、上記３０ｍｌより多くしてよい。
【００２５】
当該挿し木育苗システムにおいて、容器Ｂの培地にカラマツ属の挿し穂が挿し木され、１日当たりの蒸散量が０．５ｇ／株以上２．０ｇ／株以下である本発明の方法は好ましく、０．５ｇ／株以上１．０ｇ／株以下である方法はより好ましい。１日当たりの蒸散量を０．５ｇ／株以上２．０ｇ／株以下となるよう環境制御することにより、発根が確認されるまで外部からの潅水を行う作業をより確実に省略することができる。
【００２６】
本発明の方法は環境制御が可能な室内において前記挿し穂を管理し、発根させる工程を含む。環境制御として、温度、湿度及び光の強度の制御が包含される本発明の方法は好ましい。
［４］本発明の方法において温度、湿度及び光の強度はとくに限定されないところ、温度として２０℃〜２７℃が、湿度として５５％ＲＨ〜９０％ＲＨが、光の強度（挿し穂の頂部における光の強度）として１００μmol m-2 s-1以上２００μmol m-2 s-1以下が、それぞれ例示される。温度、湿度及び光の強度を制御することにより、本発明における所望の効果は一層確実に奏される。
温度、湿度及び光の強度の管理・制御が自動で行われる本発明の方法は、これらの環境条件の管理がより確実に行われるため好ましい。
【００２７】
［５］光の強度（挿し穂の頂部における光の強度）が１００μmol m-2 s-1以上２００μmol m-2 s-1以下である本発明の方法は、本発明における所望の効果が一層確実に奏されるため好ましく、光の強度）が１００μmol m-2 s-1以上１５０μmol m-2 s-1以下である本発明の方法はより好ましい。
光源として、例えば白熱電球、蛍光灯、高輝度放電灯（ハロゲンランプ、高圧ナトリウムランプ）、固体素子発光光源（LED、有機EL等）を用いてよい。
【００２８】
本発明の方法に用いられる上述の容器類を含む育苗システム（育苗装置）について、重量計等により全体の重量を定期的に計測し、発根の状態をリアルタイムに把握してよい。発根の判定基準は、蒸散による減水量を１日当たり１．０ｇ／株以上、及び／又は累積の減水量が２０ｇ／株以上としてよい。
【００２９】
発根した挿し木苗は容器Ａとともに圃場へ移植するか、あるいはコンテナへ移植され通常のさらなる育苗工程に付される。
発根までの栽植密度は限定されず、例えば３０本／ｍ２〜５００本／ｍ２であってよい。
【００３０】
［６］本発明の方法が適用されるカラマツ属植物は限定されないところ、該カラマツ属植物がグイマツ雑種Ｆ１等の種間交雑品種である本発明の方法は好ましく、グイマツ雑種Ｆ１である本発明の方法はとくに、好ましい。
【００３１】
本発明はさらに、当該システムの重量計測から、挿し木の蒸散量をリアルタイムに計測することで、発根時期をリアルタイムに計測する方法にも関する。同発明の構成は、上記システムにより、重量計等で重量を定期的に計測し、発根の状態をリアルタイムに計測するものである。
【実施例】
【００３２】
実施例によって、本発明をさらに詳細に説明するが、これらの実施例はいかなる意味においても本発明を限定するものではない。
【００３３】
＜実施例１＞
（１）目的
本発明の方法が奏する効果を評価する。また、カラマツ挿し木の発根時期を把握するため、地下部が隔離された育苗システムを構築・作製し、挿し木後の発根による蒸散量の変化を調査する。
（２）試験内容
●供試植物：クリーンラーチ（２年生台木の挿し穂を利用した）
●育苗システム：
（i）５０ｍｌ容の透明のバイヤル（容器Ｂ）に上下複数の穴を合計４ヶ所開け、培地として鹿沼土細粒を詰めた。該バイヤルの大きさは、外径２７ｍｍ×高さ１１０ｍｍであった。
（ii）蓋つきの発泡スチロール製容器（容器Ａ）の蓋に当該バイヤルの上部が引っかかるように孔（直径約３ｃｍ）を開けバイヤルを取り付けた。該容器の大きさは、縦３９０ｍｍ×横２９０ｍｍ×高さ１６０ｍｍであり、孔の配置は７５ｍｍピッチ（芯々）であった。
（iii）バイヤルと発泡スチロール製容器における孔との間には空気がなるべく漏れないようウレタンをはめた（図５）。
（iv）バイヤル底部が水に漬かり、前記複数の穴からバイヤル内部に水が浸入し、毛管現象により前記培地全体に水分が拡散するように発泡スチロール製容器に水を入れた。
バイヤルにおける前記穴のうち、最も低位にあるものはバイヤルの下端部にあり（図６）、発泡スチロール製容器に水を入れた直後の水面下約５０ｍｍに位置した。
（v）当該育苗システムをロガー付き重量計に設置した。
【００３４】
●育苗方法：
（i）挿し木は２０１８年１０月２９日に行い、発泡スチロールには１２個の上記バイヤルを設置した。比較の対照として、同年８月３０日に挿し付けた発根済みの処理区、及びエレポット（紙製ポット）に２０１８年１０月２９日に挿し付けを行った区（対照区）をそれぞれ設けた。対照区においてはタイマーにより自動的に底面給液を行い、温度、湿度、及び光条件はいずれの区においても同じであった。
さらに、ブランクとして、挿し穂なしの処理区を設置し、挿し木処理区の減水量からブランクの減水量を差し引き、蒸散量を算出した。
（ii）光源は白色蛍光灯を利用し、光の強度は植物頂部で約１００μｍｏｌ／ｍ２／ｓとし、温度は２３℃、湿度は６０〜７０％に保った。
【表１】
2020191852.tif 000004
（iii）バイヤルに詰めた培地上面中心に深さ１ｃｍほどの植穴を開け、挿し穂を挿入した。
（iv）人工光は植物用蛍光灯とし明期１８時間で行った。潅水は発泡スチロールの水だけで行った。
（v）ＣＬ挿し木Ａ及びＣについては１２月１６日、１２月２３日、及び翌年１月８日にバイヤル表面を目視で発根の有無を確認し発根率を求めた。
【００３５】
（３）試験結果
●CＬ挿し木Ａの蒸散量はＣＬ挿し木Ｂに比べて低く、０．５〜１．０ｇ／株／日を推移していたが、１２月２週目くらいから徐々に蒸散量が増加し、１．０ｇ／株／日以上になった。
●目視による発根率は１２月１６日調査で３３％を示し、その後徐々に上昇し最終の発根率は１００％となった（図７）。ＣＬ挿し木C（対照区）の発根率は５０％であった。
●以上から、CＬ挿し木Ｃの発根時期は、挿し木を行った１０月２９日から約１．５ヶ月経過後である１２月中旬頃と推定が可能であり、目視での確認をすることなく発根時期を推定することが可能であることが明らかになった。また、蒸散量の累積値は計測開始から２７ｇ／株であった。したがって、１つの植物体あたり約３０ｇ（３０ｍｌ）の水を容器に湛水し該容器を密閉しておけば、挿し木から水分を補給することなくカラマツ植物挿し穂を発根させることができる。
なお本実施例においてはバイヤルとして透明のものを用いたので、根を痛めることなく発根の有無を確認できた（図８）。
【００３６】
＜実施例２＞
挿し木日を２０１８年９月２６日とした以外は実施例１と同様の手順により発根率を求めた。発根率の調査は同年１２月１６日に行った。
その結果、本実施例においても発根率は１００％であり、本発明の方法が奏する効果の再現性が認められた。対照区の発根率は８４％であった。
【００３７】
＜実施例３＞
挿し木を２０１８年１２月１３日とした以外は実施例１と同様の手順により発根率を求めた。最終の発根率の調査は２０１９年３月２日に行った。
その結果、見かけの蒸散量（減水量は）挿し木後、０．５〜１．０ｇを推移し、徐々に低下し、挿し木後約１ヶ月半（２０１９年１月後半）を境に徐々に上昇し、最終調査時の見かけの蒸散量は２．０〜２．５ｇ／本／日を推移した。発根率は見かけの蒸散量とともに高まり、発根により蒸散量が高まったと推察された。最終的には発根率は１００％であり、本発明の方法が奏する効果の再現性が認められた（図９）。
【００３８】
参考例１
（１）目的
本発明の方法にかかる育苗システムでは、毛管力の高い培地を採用することで底面吸水を可能にしているが、培地表面からの蒸発による水分損失の影響が考えられるため、その対策を検討した。
（２）試験内容
●当該育苗システムでは、毛管力のある培地Aにより培地表面からの蒸発を極力抑えるため、挿し穂を挿し付けた後、培地表面に撥水性の資材を被覆し効果を確認した。
●実施例１と同様の育苗システムを元に、バイヤルに充填した培地表面について、撥水性を有する資材として５ｍｍメッシュの篩を通過したピートモスを被覆したピート被覆と、対象として、無被覆の処理、密封（キャップをした）した密封の処理を設定した。
●上部からはＣＬ挿し木を育苗する時と同様、人工光を照射した。
【００３９】
（３）試験結果
●バイヤル１個当たり、１日当たりの減水量は無被覆が２０ｇで、密封が６．２ｇと無被覆の状態だと培地表面から、約１４ｇの水分が蒸発することが分かった。
●ピート被覆では、９．４ｇと密封に比べて蒸発による減水量が多かったが、無被覆に比べると大幅に蒸発が抑えられたことが分かった（表２）。
また試験用バイヤル１個当たりの減水量を２３時間測定した場合においても、ピート被覆における減水量は密封よりやや減水量は多かったが無被覆より減水量は顕著に少なかった（図１０）。
以上から、当該育苗システムで極力正確な蒸散量を計測するには、培地表面に撥水性の資材を被覆することが有効であることが明らかになった。
【表２】
2020191852.tif 000005
【産業上の利用可能性】
【００４０】
本発明によれば、カラマツ属植物についてより高い増殖率を達成し、カラマツ属植物の苗の高効率生産が可能になる。したがって、本発明はカラマツ属植物の挿し木苗の生産産業及び関連産業の発展に寄与するところ大である。
【符号の説明】
【００４１】
１  容器Ａ
２  容器Ｂ
３  水・培養液
４  培地ａ
５  穴
６  容器Ａの平面部
７  挿し木後の挿し穂
８  スリット
９  容器Ａの平面部に設けられた孔
【図１】
2020191852.tif 000006
【図２−１】
2020191852.tif 000007
【図２−２】
2020191852.tif 000008
【図３−１】
2020191852.tif 000009
【図３−２】
2020191852.tif 000010
【図３−３】
2020191852.tif 000011
【図４】
2020191852.tif 000012
【図５】
2020191852.tif 000013
【図６】
2020191852.tif 000014
【図７】
2020191852.tif 000015
【図８】
2020191852.tif 000016
【図９】
2020191852.tif 000017
【図１０】
2020191852.tif 000018